(57)【要約】【課題】光源と光学部材との間の間隔を一定に保持することにより、表示パネルの輝度ムラ現象を改善することを目的の一つとする。【解決手段】少なくとも一方向に曲がる表示パネル、前記表示パネルが収納され、曲率を有する下部フレーム、前記表示パネルと前記下部フレームとの間に配置され、少なくとも一方向に曲がる光学部材、及び一端で前記光学部材と締結され、他端で前記下部フレームと締結される光学部材サポーターを含む表示装置を提供する。【選択図】  図２
2016143666.tif 000002
【特許請求の範囲】
【請求項１】
少なくとも一方向に曲がる表示パネルと、
前記表示パネルが収納され、曲率を有する下部フレームと、
前記表示パネル及び前記下部フレームとの間に配置され、少なくとも一方向に曲がる光学部材と、
一端で前記光学部材と締結され、他端で前記下部フレームと締結される光学部材サポーターと、を含む表示装置。
【請求項２】
前記光学部材は、前記光学部材サポーターが締結されるガイドホールを有する請求項１に記載の表示装置。
【請求項３】
前記光学部材サポーターは、上部に溝を有する請求項２に記載の表示装置。
【請求項４】
前記ガイドホールを貫通して前記溝に結合される結合部材をさらに含む請求項３に記載の表示装置。
【請求項５】
前記結合部材は、ねじ、ボルト、スクリュー、リベット、及びフックから選ばれたいずれか一つである請求項４に記載の表示装置。
【請求項６】
前記結合部材の少なくとも一部は、前記ガイドホールの直径よりも大きい請求項４に記載の表示装置。
【請求項７】
前記光学部材は、前記ガイドホールの周辺に段差部を有する請求項４に記載の表示装置。
【請求項８】
前記段差部は、テーパ形状を有する請求項７に記載の表示装置。
【請求項９】
前記段差部は、前記結合部材の少なくとも一部と実質的に同じ形状を有する請求項７に記載の表示装置。
【請求項１０】
前記結合部材の上面は、光学部材の一面と実質的に同じ平面上に配置される請求項７に記載の表示装置。
【請求項１１】
前記結合部材は、前記光学部材と同じ材質で形成される請求項４に記載の表示装置。
【請求項１２】
前記結合部材は、ポリカーボネート(ＰｏｌｙＣａｒｂｏｎａｔｅ(ＰＣ))、透明アクリル(Ａｃｒｙｌ)系樹脂、ポリスチレン(ＰｏｌｙＳｔｙｒｅｎｅ(ＰＳ))、ポリメチルメタクリレート(ＰｏｌｙＭｅｔｈｙｌＭｅｔｈＡｃｒｙｌａｔｅ(ＰＭＭＡ))、及びポリエチレンテレフタレート(Ｐｏｌｙｅｔｈｙｌｅｎｅｔｅｒｅｐｈｔｈａｌａｔｅ(ＰＥＴ))から選ばれた少なくとも一つ以上を含む請求項４に記載の表示装置。
【請求項１３】
前記光学部材サポーターは、上部から前記光学部材に向かって突出した突起を含む請求項２に記載の表示装置。
【請求項１４】
前記突起はねじ、ボルト、スクリュー、リベット、及びフックから選ばれたいずれか一つである請求項１３に記載の表示装置。
【請求項１５】
前記ガイドホールを貫通して前記突起に結合される結合部材をさらに含む請求項１３に記載の表示装置。
【請求項１６】
前記ガイドホールを貫通した前記突起に結合される結合部材をさらに含む請求項１３に記載の表示装置。
【請求項１７】
前記結合部材の少なくとも一部は、前記ガイドホールの直径よりも大きい請求項１５に記載の表示装置。
【請求項１８】
前記光学部材サポーターは、上部から前記光学部材に向かって突出したフックを含む請求項２に記載の表示装置。
【請求項１９】
前記光学部材は、拡散板、拡散シート、プリズムシート、保護シートから選ばれた少なくとも一つ以上を含む請求項１に記載の表示装置。
【発明の詳細な説明】
【技術分野】
【０００１】
本発明は、表示装置に関する。より詳細には、光源と光学部材との間の間隔を一定に保持させることができる表示装置に関する。
【背景技術】
【０００２】
表示装置は、発光方式に応じて液晶表示装置(ｌｉｑｕｉｄ ｃｒｙｓｔａｌ ｄｉｓｐｌａｙ(ＬＣＤ))、有機発光表示装置(ｏｒｇａｎｉｃ ｌｉｇｈｔ ｅｍｉｔｔｉｎｇ ｄｉｏｄｅ ｄｉｓｐｌａｙ(ＯＬＥＤ ｄｉｓｐｌａｙ))、プラズマ表示装置(ｐｌａｓｍａ ｄｉｓｐｌａｙ ｐａｎｅｌ(ＰＤＰ))、及び電気泳動表示装置(ｅｌｅｃｔｒｏｐｈｏｒｅｔｉｃ ｄｉｓｐｌａｙ)などに分類される。
【０００３】
液晶表示装置のような非発光型表示装置は、映像を表示する表示パネルが自発発光しないため、表示パネルに光を供給するためのバックライトユニットを含む。
【０００４】
バックライトユニットは、発光ダイオード(ＬＥＤ：ｌｉｇｈｔ ｅｍｉｔｔｉｎｇ ｄｉｏｄｅ)を含む。発光ダイオードは、冷陰極蛍光ランプよりも消費電力が少なく、色再現性が良い。バックライトユニットは、複数の発光ダイオードの位置に応じてエッジ型バックライトユニットと直下型バックライトユニットと、に区分される。直下型バックライトユニットは、表示パネルの下側に配置された複数の発光ダイオードを含む。
【０００５】
バックライトユニットは、複数の発光ダイオードから提供された光の光学特性を向上させるための光学部材、及びこのような光学部材を支持するための少なくとも一つ以上の光学部材サポーターを含む。
【０００６】
最近、表示装置の画面の大画面化に伴い、視聴者が画面の中央部を見る場合と、画面の左右両端を見る場合において視差が大きくなる問題がある。このような視差を補償するため、画面の中央部を中心に左右の両端が凹んで曲がった曲面表示装置が開発された。
【０００７】
曲面表示装置は、所定の曲率を有する収納フレームに平面(ｆｌａｔ)状で製作された表示パネル、及び光学部材が結合されて製作される。このとき、光学部材は、初期の平面形状に戻ろうとする特性があり、光学部材サポーターと接触せず、浮くようになる。特に、このような現象は、光学部材の中央部で主に発生する。これにより、表示パネルの輝度ムラ現象が発生する。
【発明の概要】
【発明が解決しようとする課題】
【０００８】
そこで、本発明の目的は、光源と光学部材との間の間隔を一定に保持することにより、表示パネルの輝度ムラ現象を改善しようとする点にある。
【課題を解決するための手段】
【０００９】
少なくとも一方向に曲がる表示パネル、前記表示パネルが収納され、曲率を有する下部フレーム、前記表示パネルと前記下部フレームとの間に配置され、少なくとも一方向に曲がる光学部材、及び一端で前記光学部材と締結され、他端で前記下部フレームと締結される光学部材サポーターを含む表示装置を提供する。
【００１０】
前記光学部材は、前記光学部材サポーターが締結されるガイドホールを有してもよい。
【００１１】
前記光学部材サポーターは、上部に溝を有してもよい。
【００１２】
前記ガイドホールを貫通して前記溝に結合される結合部材をさらに含んでもよい。
【００１３】
前記結合部材は、ねじ、ボルト、スクリュー、リベット、及びフックから選択されるいずれかであってもよい。
【００１４】
前記結合部材の少なくとも一部は、前記ガイドホールの直径よりも大きくてもよい。
【００１５】
前記光学部材は、前記ガイドホールの周辺に段差部を有してもよい。
【００１６】
前記段差部は、テーパ形状を有してもよい。
【００１７】
前記段差部は、前記結合部材の少なくとも一部と実質的に同じ形状を有してもよい。
【００１８】
前記結合部材の上面は、前記光学部材の一面と実質的に同じ平面上に配置してもよい。
【００１９】
前記結合部材は、前記光学部材と同じ材質で形成してもよい。
【００２０】
前記結合部材は、ポリカーボネート(ＰｏｌｙＣａｒｂｏｎａｔｅ(ＰＣ))、透明アクリル(Ａｃｒｙｌ)系樹脂、ポリスチレン(ＰｏｌｙＳｔｙｒｅｎｅ(ＰＳ))、ポリメチルメタクリレート(ＰｏｌｙＭｅｔｈｙｌＭｅｔｈＡｃｒｙｌａｔｅ(ＰＭＭＡ))、及びポリエチレンテレフタレート(Ｐｏｌｙｅｔｈｙｌｅｎｅｔｅｒｅｐｈｔｈａｌａｔｅ(ＰＥＴ))から選ばれた少なくとも１つを含んでもよい。
【００２１】
前記光学部材サポーターは、上部から前記光学部材に向かって突出した突起を含んでもよい。
【００２２】
前記突起は、ねじ、ボルト、スクリュー、リベット、及びフックから選択されるいずれかであってもよい。
【００２３】
前記ガイドホールを貫通して前記突起に結合される結合部材をさらに含んでもよい。
【００２４】
前記ガイドホールを貫通した前記突起に結合される結合部材をさらに含んでもよい。。
【００２５】
前記結合部材の少なくとも一部は、前記ガイドホールの直径よりも大きくてもよい。
【００２６】
前記光学部材サポーターは、上部から前記光学部材に向かって突出したフックを含んでもよい。
【００２７】
前記光学部材は、拡散板、拡散シート、プリズムシート、保護シートから選ばれた少なくとも一つ以上を含んでもよい。
【発明の効果】
【００２８】
本発明に係る表示装置は、光学部材サポーターが一端で光学部材と締結され、他端で下部フレームと締結されることにより、光源と光学部材との間の間隔を一定に保持する。
【００２９】
本発明に係る表示装置は、光学部材サポーターと光学部材を締結する結合部材を光学部材と同じ材質で形成することにより、光の干渉を最小化する。
【００３０】
本発明に係る表示装置は、光学部材サポーターと光学部材を締結する結合部材が光学部材の上部面より突出しないようにすることにより、光の干渉を最小化する。
【図面の簡単な説明】
【００３１】
【図１】本発明の一実施形態に係る表示装置の斜視図である。
【図２】本発明の一実施形態に係る表示装置の分解斜視図である。
【図３】本発明の他の実施形態に係る光学部材サポーターの断面図である。
【図４】本発明の他の実施形態に係る光学部材サポーターの断面図である。
【図５】本発明の他の実施形態に係る光学部材サポーターの断面図である。
【図６】本発明の一実施形態に係る光学部材と光学部材サポーターの組立図である。
【図７】本発明の他の実施形態に係る光学部材サポーターの断面図である。
【図８】本発明の他の実施形態に係る光学部材サポーターの断面図である。
【図９】本発明の他の一実施形態に係る光学部材と光学部材サポーターの組立図である。
【図１０】本発明の他の一実施形態に係る光学部材サポーターの断面図である。
【図１１】本発明の他の一実施形態に係る光学部材と光学部材サポーターの組立図である。
【図１２】本発明の他の一実施形態に係る光学部材サポーターの断面図である。
【図１３】本発明の一実施形態に係る光学部材の平面図である。
【図１４】本発明の他の実施形態に係る光学部材の断面図である。
【図１５】本発明の他の実施形態に係る光学部材の断面図である。
【発明を実施するための形態】
【００３２】
以下、添付図面を参照して、本発明を詳細に説明する。
【００３３】
本発明は、様々な変更が可能で、様々な形態で実施できるところ、特定の実施例のみ図面に例示し、本文は、これを中心に説明する。しかし、本発明の範囲が前記特定の実施例に限定されるものではなく、本発明の思想及び技術範囲に含まれるすべての変更、均等物または代替物は、本発明の範囲に含まれるものと理解されるべきである。
【００３４】
本明細書において、ある部分が他の部分と連結されていると説明するとき、これは直接に連結されている場合だけではなく、その中間に他の素子を間に置いて電気的に連結されている場合も含む。また、ある部分がある構成要素を含むと説明するとき、これは特に反対される記載がない限り、他の構成要素を除外するものではなく、他の構成要素をさらに含みうることを意味する。
【００３５】
本明細書において、第１の、第２の、第３などの用語は、様々な構成要素を説明するために使用できるが、このような構成要素は、前記用語によって限定されるものではない。前記用語は、一つの構成要素を他の構成要素から区別するために使用される。例えば、本発明の権利範囲から逸脱することなく、第１の構成要素が、第２のまたは第３の構成要素などと命名されることができ、同様に、第２のまたは第３の構成要素も交互に命名することができる。
【００３６】
本発明を明確に説明するために説明と関係ない部分は省略し、明細書の全体を通じて同一または類似した構成要素については、同一の参照符号を付ける。
【００３７】
本明細書において表示装置は、液晶表示パネルであることを前提に説明したが、これに限定されるものではなく、表示パネルは、ＯＬＥＤ(Ｏｒｇａｎｉｃ  Ｌｉｇｈｔ  Ｅｍｉｔｔｉｎｇ  Ｄｉｏｄｅ)パネルであってもよい。
【００３８】
また、本明細書において表示装置は、直下型(ｄｉｒｅｃｔ  ｔｙｐｅ)バックライトユニットを含むことを前提に説明したが、これに限定されるものではなく、エッジ型(ｅｄｇｅ  ｔｙｐｅ)バックライトユニット、コーナー型(ｃｏｒｎｅｒ  ｔｙｐｅ)バックライトユニット、または直下型とエッジ型が結合されたハイブリッド型(ｈｙｂｒｉｄ  ｔｙｐｅ)バックライトユニットであってもよい。
【００３９】
本明細書において表示装置は、横の長さが縦の長さよりも長く、横方向に曲がったランドスケープ(ｌａｎｄｓｃａｐｅ)タイプであることを前提に説明したが、これに限定されないのは言うまでもない。
【００４０】
図１は、本発明の一実施形態に係る表示装置の斜視図であり、図２は、本発明の一実施形態に係る表示装置の分解斜視図である。
【００４１】
図１及び図２を参照すると、本発明の一実施形態に係る表示装置は、上部フレーム１１０、表示パネル１２０、中間フレーム１３０、光学シート１４０、光学部材１５０、光源部１６０、反射シート１７０、及び下部フレーム１８０を含む。
【００４２】
以下では、中間フレーム１３０、光学シート１４０、光学部材１５０、光源部１６０、反射シート１７０、及び下部フレーム１８０などを総称してバックライトユニットという。前記列挙された構成要素は、曲面形状に合わせて凹んで曲がった形態を有する。
【００４３】
光学部材１５０と下部フレーム１８０との間に少なくとも一つ以上の光学部材サポーター２００が配置され、光学部材１５０上に光学部材１５０と光学部材サポーター２００を結合するための結合部材２５０が配置される。
【００４４】
上部フレーム１１０、中間フレーム１３０、及び下部フレーム１８０のような収納フレームは、所定の曲率(ｃｕｒｖａｔｕｒｅ)を有するように形成することができる。収納フレームは１０００ｍｍ以上から５０００ｍｍ以下の曲率半径(Ｒａｄｉｕｓ  ｏｆ  ｃｕｒｖａｔｕｒｅ)を有することができる。収納フレームは、少なくとも一つ以上の曲率を有するように形成することもできる。
【００４５】
表示パネル１２０は、収納フレームと結合される前に曲がった形状を有することができ、収納フレームと結合されることにより曲がってもよい。すなわち、表示パネル１２０がフレキシブルタイプ(ｆｌｅｘｉｂｌｅ  ｔｙｐｅ)であれば、収納フレームに結合されることにより曲がることができ、表示パネル１２０がリジッドタイプ(ｒｉｇｉｄ  ｔｙｐｅ)であれば、収納フレームに挿入される前に、所定の曲率を有してもよい。以下では、表示パネル１２０は、平らな形で製作された後、収納フレームとの結合により、所定の曲率を有することを前提に説明する。
【００４６】
表示パネル１２０は、平面上で長方形でも良い。以下では、説明の便宜上、表示パネル１２０の長辺方向を横方向(ＤＲ１)、表示パネル１２０の短辺方向を縦方向(ＤＲ２)、表示パネル１２０の厚さ方向を法線方向(ＤＲ３)という。
【００４７】
表示パネル１２０は、光を用いて映像を表示する四角の板状であり、少なくとも一方向に曲がることができるフレキシブルパネルである。表示パネル１２０の相対的に長さが長い二つの辺(以下、長辺)は、所定の曲率で凹んで曲がることができる。他の実施例で表示パネル１２０は、短辺が所定の曲率で凹んで曲がってもよい。
【００４８】
表示パネル１２０は、凹んで曲がった曲面状の表示面ＤＳを提供する。表示面ＤＳは、静止画または動画が表示される表示領域ＤＡと表示領域ＤＡの端の非表示領域ＮＤＡを含む。
【００４９】
表示パネル１２０は、第１の基板１２１、第１の基板１２１に対向される第２の基板１２３、及び第１の基板１２１と第２の基板１２３との間に形成された液晶層(図示せず)を含む。
【００５０】
第１の基板１２１は、マトリックス状に配置された複数の画素電極、画素電極のそれぞれに駆動電圧を印加する薄膜トランジスタ、及び画素電極と薄膜トランジスタを駆動するための各種の信号線を含む。
【００５１】
第２の基板１２３は、第１の基板１２１と対向するように配置され、透明電導性物質から形成された共通電極、及びカラーフィルタを含む。カラーフィルタは、赤色、緑色、及び青色のカラーフィルタがある。
【００５２】
液晶層(図示せず)は、第１の基板１２１と第２の基板１２３との間に介在され、画素電極と共通電極との間に形成された電場によって再配列される。このように、再配列された液晶層は、バックライトユニットから出射された光の透過率を調節し、このように調節された光がカラーフィルタを通過することにより映像を外部に表示する。
【００５３】
また、第１の基板１２１の背面に下部偏光板(図示せず)がさらに配置されてもよく、第２の基板１２３の上面に上部偏光板(図示せず)がさらに配置されてもよい。上部偏光板及び下部偏光板は、表示パネル１２０に対応する面積を有することができる。上部偏光板は、外部から到達する光のうち、特定の偏光のみを通過させ、残りは吸収または遮断させることができる。下部偏光板は、バックライトユニットから出力される光のうち、特定の偏光のみを通過させたり、残りは吸収または遮断させたりすることができる。
【００５４】
表示パネル１２０の少なくとも一辺に表示パネル１２０を駆動するための駆動回路基板(図示せず)が配置されてもよい。駆動回路基板は、表示パネル１２０を駆動させるための各種の制御信号および電源信号を提供することができる。
【００５５】
上部フレーム１１０は、表示パネル１２０の表示領域ＤＡが外部に露出されるように開放窓を有し、表示パネル１２０の前面の端と側面を覆うように(ｃｏｖｅｒ)に配置される。上部フレーム１１０は、フック結合および/またはねじ結合を介して、中間フレーム１３０と下部フレーム１８０に固定することができる。
【００５６】
上部フレーム１１０は、単一の形態からなり、または、必要に応じて複数個に形成された後、組み立てることもできる。上部フレーム１１０は、ステンレススチールのような剛性を有する金属材質、またはアルミニウム、あるいはアルミニウム合金のように放熱特性が良い材質で形成することができる。
【００５７】
中間フレーム１３０は、表示パネル１２０を支持し、光学シート１４０、光学部材１５０、光源部１６０、及び反射シート１７０などを収容することができる。
【００５８】
中間フレーム１３０は、内部に空きスペースが形成された多角枠形状を有することができる。たとえば、中間フレーム１３０は、内部に空きスペースが形成された四角枠形状を有することができる。中間フレーム１３０は、単一の形態からなり、または、必要に応じて複数個に形成された後、組み立てることもできる。
【００５９】
中間フレーム１３０は、プラスチックのように柔軟な材質で形成されることができ、射出成形工程などで形成されることができる。中間フレーム１３０は、所定の曲率を有するように射出成形工程などで形成することができる。
【００６０】
光学シート１４０は、光学部材１５０上に配置されて光学部材１５０から伝達される光を拡散または集光する役割をする。光学シート１４０は、横方向(ＤＲ1)に凹んで曲がる
【００６１】
光学シート１４０は、拡散シート、プリズムシート、及び保護シートを含む。拡散シート、プリズムシート、及び保護シートは、その列挙された順序で光学部材１５０上に順番に積層される。
【００６２】
光学部材１５０は、光源部１６０から提供された光を表示パネル１２０に均一に供給する。光学部材１５０は、拡散板、拡散シート、プリズムシート、保護シートのうち少なくとも一つを含むことができる。以下で、光学部材１５０は、拡散板であることを前提に説明する。光学部材１５０は、平らな形で製作された後、収納フレームとの結合によって横方向(ＤＲ1)に凹んで曲がる。
【００６３】
光学部材１５０は、光学部材サポーター２００と締結されるためのガイドホール１５５を有し、ガイドホール１５５の周辺に段差部１５７を含むことができる。段差部１５７は、光学部材１５０の上部面と段差を有する領域である。段差部１５７のより詳細な構成は、後述する。
【００６４】
光学部材１５０は、透光性を有する材料、例えば、ポリカーボネート(ＰｏｌｙＣａｒｂｏｎａｔｅ(ＰＣ))、透明アクリル(Ａｃｒｙｌ)系樹脂、ポリスチレン(ＰｏｌｙＳｔｙｒｅｎｅ(ＰＳ))、ポリメチルメタクリレート(ＰｏｌｙＭｅｔｈｙｌＭｅｔｈＡｃｒｙｌａｔｅ(ＰＭＭＡ))、及びポリエチレンテレフタレート(Ｐｏｌｙｅｔｈｙｌｅｎｅｔｅｒｅｐｈｔｈａｌａｔｅ(ＰＥＴ))から選ばれた少なくとも一つ以上を含んでもよい。
【００６５】
光源部１６０は、下部フレーム１８０上に配置することができる。光源部１６０は、光源１６１と、光源１６１が配置された回路基板１６３と、を含む。
【００６６】
光源１６１は、少なくとも一つのＬＥＤチップ(図示せず)とＬＥＤチップを収容するパッケージ(図示せず)を含むことができる。たとえば、ＬＥＤチップ(図示せず)は、青色光を放出する窒化ガリウム(ＧａＮ)系ＬＥＤチップでも良い。光源１６１の個数は、表示パネル１２０のサイズ、及び輝度の均一性などを考慮して、様々な値としてもよい。
【００６７】
回路基板１６３は、下部フレーム１８０の横方向(ＤＲ1)に沿って一定の離隔空間を有するように配置することができる。回路基板１６３は、プリント回路基板(Ｐｒｉｎｔｅｄ  Ｃｉｒｃｕｉｔ  Ｂｏａｒｄ(ＰＣＢ))または金属印刷回路基板(ｍｅｔａｌ  ＰＣＢ)でも良い。
【００６８】
反射シート１７０は、ポリエチレンテレフタレート(ＰＥＴ)からなり、反射性を有することができ、一面は銀(Ａｇ)または酸化チタン(ＴｉＯｘ)を含むことができる。
【００６９】
反射シート１７０は、複数の光源１６１が通過することができる複数の貫通ホール１７１、及び光学部材サポーター２００を下部フレーム１８０に締結するための貫通ホール１７５を有する。
【００７０】
下部フレーム１８０は、表示装置の骨格を保持し、内部に収納される各種の構成要素を保護する。下部フレーム１８０は、横方向(ＤＲ1)に凹んで曲がる。下部フレーム１８０は、光学部材サポーター２００を締結するための貫通ホール１８５を有する。
【００７１】
下部フレーム１８０は、ステンレススチールのような剛性を有する金属材質、またはアルミニウム、あるいはアルミニウム合金のように放熱特性が良い材質からなる。
【００７２】
光学部材サポーター２００は、一端で光学部材１５０と締結され、他端で下部フレーム１８０と締結される。結合部材２５０は、光学部材１５０と光学部材サポーター２００を締結する。以下で、光学部材サポーター２００と結合部材２５０のより詳細な構成を説明する。
【００７３】
図３乃至図５は、本発明の他の実施形態に係る光学部材サポーターの断面図であり、図６は、本発明の一実施形態に係る光学部材と光学部材サポーターの組立図である。
【００７４】
図３乃至図６を参照すると、本発明の他の実施形態に係る光学部材サポーターは、光学部材１５０と対向する上部２１０、下部フレーム１８０と対向する下部２２０、及び上部２１０と下部２２０との間に配置されて光学部材１５０と下部フレーム１８０との間の間隔を一定に保持させる中間部２３０を含む。
【００７５】
中間部２３０は、円柱、多角柱、円錐、多角錐、上部が平らな円錐状などの様々な構造を有することができる。以下で、中間部２３０は、上部が平らな円錐状であることを前提に説明する。
【００７６】
光学部材サポーター２００は、透光性を有する材料、例えば、ポリカーボネート(ＰｏｌｙＣａｒｂｏｎａｔｅ(ＰＣ))、透明アクリル(Ａｃｒｙｌ)系樹脂、ポリスチレン(ＰｏｌｙＳｔｙｒｅｎｅ(ＰＳ))、ポリメチルメタクリレート(ＰｏｌｙＭｅｔｈｙｌＭｅｔｈＡｃｒｙｌａｔｅ(ＰＭＭＡ))、及びポリエチレンテレフタレート(Ｐｏｌｙｅｔｈｙｌｅｎｅｔｅｒｅｐｈｔｈａｌａｔｅ(ＰＥＴ))から選ばれた少なくとも一つ以上を含んでもよい。
【００７７】
光学部材サポーター２００は、下部２２０から下部フレーム１８０に向かって突出したフック２２５を有する。フック２２５は、反射シート１７０の貫通ホール１７５、及び下部フレーム１８０の貫通ホール１８５に配置された挿入軸２２５ａと、貫通ホール１７５、１８５を通過して下部フレーム１８０の外側に配置されたラッチ２２５ｂを含む。
【００７８】
光学部材サポーター２００は、上部２１０から中間部２３０に向かって形成された溝２１５を有することができる。溝２１５は、ねじまたはボルトなどが固定されることができるねじ溝(図３参照)、リベットなどが固定されることができるリベット溝(図４参照)、及びフックなどが固定されることができるフック溝(図５参照)のいずれかでもよい。
【００７９】
結合部材２５０は、光学部材１５０に形成されたガイドホール１５５を通過して前記溝２１５に結合されている本体部２５１、及び光学部材１５０の段差部１５７上に配置される固定部２５３を含む。
【００８０】
結合部材２５０は、ねじ、ボルト、またはスクリュー(図３参照)、リベット(図４参照)、及びフック(図５参照)のいずれかでもよい。したがって、結合部材２５０がねじである場合、本体部２５１は、ねじ部であり、固定部２５３は、ねじの頭部であることができる。
【００８１】
結合部材２５０の少なくとも一部は、ガイドホール１５５の直径(ｄ１)よりも大きくなってもよい。たとえば、結合部材２５０と固定部２５３の直径(ｄ２)はガイドホール１５５の直径(ｄ１)よりも大きくなってもよい。
【００８２】
また、固定部２５３の厚さｔ１は、段差部１５７の高さｔ２と同一または小さくてもよい。したがって、固定部２５３は、光学部材１５０の上部面１５０ａよりも上部に突出されない。すなわち、固定部２５３により、光学部材１５０の光路に影響を与えないことができる。
【００８３】
段差部１５７は、結合部材２５０の少なくとも一部と実質的に同じ形を有することができる。すなわち、段差部１５７は、結合部材２５０と固定部２５３と実質的に同じ断面形状と平面形状を有することができる。
【００８４】
一実施形態において、結合部材２５０が平ねじである場合、図５に示すように、段差部１５７は、長方形の断面形状を有し、図６に示すように、段差部１５７は、円形の平面形状を有する。他の実施形態において、結合部材２５０が皿ねじである場合、段差部１５７は、テーパ形状の断面形状を有する。
【００８５】
結合部材２５０は、光学部材１５０と同じ材質で形成されることが好ましい。結合部材２５０は、透光性を有する材料、例えば、ポリカーボネート(ＰｏｌｙＣａｒｂｏｎａｔｅ(ＰＣ))、透明アクリル(Ａｃｒｙｌ)系樹脂、ポリスチレン(ＰｏｌｙＳｔｙｒｅｎｅ(ＰＳ))、ポリメチルメタクリレート(ＰｏｌｙＭｅｔｈｙｌＭｅｔｈＡｃｒｙｌａｔｅ(ＰＭＭＡ))、及びポリエチレンテレフタレート(Ｐｏｌｙｅｔｈｙｌｅｎｅｔｅｒｅｐｈｔｈａｌａｔｅ(ＰＥＴ))から選ばれた少なくとも一つ以上を含むことができる。結合部材２５０と光学部材１５０を同じ材質で形成することにより、結合部材２５０に起因する光学部材１５０の光路に影響を与えないことができる。
【００８６】
図７及び図８は、本発明の他の実施形態による光学部材サポーターの断面図であり、図９は、本発明の他の実施形態に係る光学部材と光学部材サポーターの組立図である。本発明の他の実施形態に係る光学部材サポーターに関する説明の中で、本発明の一実施形態に係る光学部材サポーターと重複する内容は、省略する。
【００８７】
図７乃至図９を参照すると、本発明の他の実施形態に係る光学部材サポーターは、光学部材１５０と対向する上部２１０、下部フレーム１８０と対向する下部２２０、及び上部２１０と下部２２０との間に配置されて光学部材１５０と下部フレーム１８０との間の間隔を一定に保持させる中間部２３０を含む。
【００８８】
光学部材サポーター２００は、上部２１０で光学部材１５０に向かって突出した突起２１７を有することができる。
【００８９】
突起２１７は、ねじ、ボルト、またはスクリュー(図７参照)、リベット、及びフック(図８参照)のいずれかでもよい。
【００９０】
結合部材２５０は、光学部材１５０に形成されたガイドホール１５５を通過して前記突起２１７に結合される本体部２５１、及び光学部材１５０の段差部１５７上に配置される固定部２５３を含む。
【００９１】
本体部２５１は、突起２１７と結合する溝２５１ａを有する。溝２５１ａは、ねじまたはボルトなどが固定されることができるねじ溝(図７参照)、リベットなどが固定されることができるリベット溝、及びフックなどが固定されることができるフック溝(図８参照)のいずれかでもよい。
【００９２】
図１０は、本発明の他の実施形態に係る光学部材サポーターの断面図であり、図１１は、本発明の他の実施形態に係る光学部材と光学部材サポーターの組立図である。本発明の他の実施形態に係る光学部材サポーターに関する説明の中で、本発明の実施形態に係る光学部材サポーターと重複する内容は、省略する。
【００９３】
図１０及び図１１を参照すると、本発明の他の実施形態に係る光学部材サポーターは、光学部材１５０と対向する上部２１０、下部フレーム１８０と対向する下部２２０、及び上部２１０と下部２２０との間に配置されて光学部材１５０と下部フレーム１８０との間の間隔を一定に保持させる中間部２３０を含む。
【００９４】
光学部材サポーター２００は、上部２１０で光学部材１５０に向かって突出した突起２１７を有することができる。突起２１７は、ねじ、ボルト、またはスクリュー、リベット、及びフックのいずれかでもよい。
【００９５】
結合部材２５０は、光学部材１５０に形成されたガイドホール１５５を通過した突起２１７に結合される。結合部材２５０は、ナット及びキャップを含むことができる。
【００９６】
また、結合部材２５０は、段差部１５７の高さと同一又は小さくてもよい。したがって、結合部材２５０は、光学部材１５０の上部面１５０ａよりも上部に突出されない。すなわち、結合部材２５０に起因して光学部材１５０の光路に影響を与えないことができる。
【００９７】
図１２は、本発明の他の実施形態に係る光学部材サポーターの断面図である。本発明の他の実施形態に係る光学部材サポーターに関する説明の中で、本発明の実施形態に係る光学部材サポーターと重複する内容は、省略する。
【００９８】
図１２を参照すると、本発明の他の実施形態に係る光学部材サポーターは、光学部材１５０と対向する上部２１０、下部フレーム１８０と対向する下部２２０、及び上部２１０と下部２２０との間に配置されて光学部材１５０と下部フレーム１８０との間の間隔を一定に保持させる中間部２３０を含む。
【００９９】
光学部材サポーター２００は、上部２１０から光学部材１５０に向かって突出したフック２１９を有することができる。フック２１９は、光学部材１５０のガイドホール１５５を通過する挿入軸２１９ａ、及びガイドホール１５５を通過して光学部材１５０上に配置されたラッチ２１９ｂを含む。
【０１００】
また、フック２１９は、段差部１５７の高さと同一又は小さいことができる。したがって、フック２１９は、光学部材１５０の上部面１５０ａよりも上部に突出されない。すなわち、フック２１９に起因して光学部材１５０の光路に影響を与えないことができる。
【０１０１】
上記で説明した以外にも、光学部材サポーター２００は、上部２１０から光学部材１５０に向かって突出した様々な形態の突起を有することができる。たとえば、突起の一部は、ガイドホール１５５の直径よりも大きい。したがって、突起はガイドホール１５５にプラグイン方式で結合することができる。突起の少なくとも一部は、球形または六面体でもよい。
【０１０２】
図１３は、本発明の一実施形態に係る光学部材の平面図であり、図１４及び図１５は、本発明の他の実施形態に係る光学部材の断面図である。
【０１０３】
図１３乃至図１５を参照すると、光学部材１５０上に結合部材２５０が配置される。光学部材１５０は、結合部材２５０に対応する領域にガイドホール１５５を有し、ガイドホール１５５周辺の段差部１５７を含む。
【０１０４】
段差部１５７は、結合部材２５０の少なくとも一部と実質的に同じ形状を有することができる。すなわち、段差部１５７は、結合部材２５０及び固定部２５３と実質的に同じ断面形状及び平面形状を有することができる。
【０１０５】
図１３及び図１４に示すように、結合部材２５０が円形の平ねじである場合、段差部１５７は、円形の平面形状を有し、長方形の断面形状を有する。
【０１０６】
また、図１３及び図１５に示すように、結合部材２５０が円形の皿ネジである場合、段差部１５７は、円形の平面形状を有し、テーパ形の断面形状を有する。
【０１０７】
段差部１５７上に配置される結合部材２５０の固定部２５３は、光学部材１５０の上部面１５０ａよりも上部に突出しないように配置されることが好ましい。すなわち、固定部２５３に起因して光学部材１５０の光路に影響を与えないことができる。
【０１０８】
本発明に係る表示装置は、光学部材サポーターが一端で光学部材と締結され、他端で下部フレームと締結されることにより、光源と光学部材との間の間隔を一定に保持する。光学部材サポーターと光学部材が締結される方法は、前記実施形態に限定されるものではなく、一般的な締結方式であれば制限なく使用することができ、接着または付着方法で締結されることもできる。
【０１０９】
本発明に係る表示装置は、光学部材サポーターと光学部材を締結する結合部材を光学部材と同じ材質で形成し、結合部材が光学部材の上部面より突出しないようにすることにより、光の干渉を最小化する。
【０１１０】
以上、添付の図面を参照して本発明の一実施形態を説明したが、本発明が属する技術分野で通常の知識を有する者は、本発明のその技術的思想や本質的な特徴を変更せずに、他の具体的な形で実施されることができることを理解できるだろう。したがって、前述した一実施例は、すべての面で例示的なものであり、限定的ではないものと理解しなければならない。
【符号の説明】
【０１１１】
１１０     上部フレーム
１２０     表示パネル
１３０     中間フレーム
１４０     光学シート
１５０     光学部材
１６０     光源部
１７０     反射シート
【図１】
2016143666.tif 000003
【図２】
2016143666.tif 000004
【図３】
2016143666.tif 000005
【図４】
2016143666.tif 000006
【図５】
2016143666.tif 000007
【図６】
2016143666.tif 000008
【図７】
2016143666.tif 000009
【図８】
2016143666.tif 000010
【図９】
2016143666.tif 000011
【図１０】
2016143666.tif 000012
【図１１】
2016143666.tif 000013
【図１２】
2016143666.tif 000014
【図１３】
2016143666.tif 000015
【図１４】
2016143666.tif 000016
【図１５】
2016143666.tif 000017